(57)【特許請求の範囲】
【請求項１】
鶏舎内において家禽を飼育する方法であって、
一日の間に、家禽の活動を活発にする光を飼育領域に照射する活動期間から家禽の活動を抑制する光を飼育領域に照射する安息期間および／または前記安息期間から前記活動期間に切り替える飼育日を設ける
ことを特徴とする家禽飼育方法。
【請求項２】
前記安息期間に飼育領域に照射する光は、
照射する光の波長および／または照度を前記活動期間に照射する光から変更したものである
ことを特徴とする請求項１記載の家禽飼育方法。
【請求項３】
前記安息期間に飼育領域に照射する光の照度は、
前記活動期間の照度の８０％以下となるように調整されている
ことを特徴とする請求項１または２記載の家禽飼育方法。
【請求項４】
飼育領域に照射する光を変化させる際に、照射する光の波長および／または照度を徐々に変化させる遷移期間を設ける
ことを特徴とする請求項１、２または３記載の家禽飼育方法。
【請求項５】
前記安息期間に、光を照射しないまたは家禽の活動を抑制する光よりも照度を落とした光を照射する休息期間を設ける
ことを特徴とする請求項１、２、３または４記載の家禽飼育方法。
【請求項６】
前記活動期間は白色光を照射し、前記安息期間では青色光を照射する
ことを特徴とする請求項１、２、３、４または５記載の家禽飼育方法。
【請求項７】
安息期間と活動期間の比が、３：１〜１：３である
ことを特徴とする請求項１、２、３、４、５または６記載の家禽飼育方法。
【請求項８】
前記活動期間と安息期間を合せた光照射時間を、家禽の成育状況および／または季節に応じて調整する
ことを特徴とする請求項１、２、３、４、５、６または７記載の家禽飼育方法。
【請求項９】
家禽を飼育する領域に照射する光を調整する照明管理システムであって、
飼育領域に光を照射する光照射手段と、
該光照射手段の作動を制御する制御手段と、を備えており、
前記光照射手段が、
家禽の活動を活発にする光と、家禽の活動を抑制する光と、を照射し得るものであり、
前記制御手段は、
一日の間に、両光を切り換えて飼育領域に照射するように前記光照射手段の作動を制御する機能を有している
ことを特徴とする鶏舎における照明管理システム。
【請求項１０】
前記制御手段は、
家禽の活動を抑制する光として、家禽の活動を活発にする光に対して照射する光の波長および／または照度を変更した光を照射するように光照射手段の作動を制御する機能を有している
ことを特徴とする請求項９記載の鶏舎における照明管理システム。
【請求項１１】
前記制御手段は、
家禽の活動を抑制する光の照度が、家禽の活動を活発にする光の照度の８０％以下となるように光照射手段の作動を制御する機能を有している
ことを特徴とする請求項９または１０記載の鶏舎における照明管理システム。
【請求項１２】
前記制御手段は、
飼育領域に照射する光を変化させる際に、飼育領域に照射する光の波長および／または照度が徐々に変化するように、光照射手段の作動を制御する機能を有している
ことを特徴とする請求項９、１０または１１記載の鶏舎における照明管理システム。
【請求項１３】
前記制御手段は、
家禽の活動を抑制する光を照射している期間に、光を照射しないまたは家禽の活動を抑制する光よりも照度を落とした光を照射する期間が形成されるように、光照射手段の作動を制御する機能を有している
ことを特徴とする請求項９、１０、１１または１２記載の鶏舎における照明管理システム。
【請求項１４】
前記光照射手段が、
飼育領域に照射される光が白色光となるように光を放出する機能と、
飼育領域に照射される光が青色光となるように光を放出する機能と、を有している
ことを特徴とする請求項９、１０、１１、１２または１３記載の鶏舎における照明管理システム。
【請求項１５】
前記光照射手段は、
家禽の活動を活発にする光を照射する時間と家禽の活動を抑制する光を照射する時間の比が、３：１〜１：３となるように制御されている
ことを特徴とする請求項９、１０、１１、１２、１３または１４記載の鶏舎における照明管理システム。
【請求項１６】
前記制御手段は、
家禽の活動を活発にする光を照射する期間と家禽の活動を抑制する光を照射する期間を合せた光照射時間を、家禽の成育状況および／または季節に応じて調整する機能を有している
ことを特徴とする請求項９、１０、１１、１２、１３、１４または１５記載の鶏舎における照明管理システム。
【請求項１７】
家禽を飼育する家禽飼育システムであって、
家禽を飼育する飼育領域が設けられた鶏舎と、
該鶏舎の飼育領域に照射する光を制御する、請求項９、１０、１１、１２、１３、１４、１５または１６に記載の照明管理システムと、を備えている
ことを特徴とする家禽飼育システム。
【発明の詳細な説明】
【技術分野】
【０００１】
本発明は、家禽飼育方法、家禽飼育システムおよび鶏舎における照明管理システムに関する。さらに詳しくは、無窓鶏舎等のように鶏等の家禽を外界から遮断した状態で飼育する家禽飼育方法、家禽飼育システムおよび鶏舎における照明管理システムに関する。
【背景技術】
【０００２】
肉用鶏は、開放鶏舎、無窓鶏舎などによって、１年を通して飼育が行われている。無窓鶏舎は、季節や天候に関係なく鶏舎内を所定の環境に制御でき、安定した状態で肉用鶏を飼育できるので、生産される鶏肉の品質を所定の品質に維持しやすい。このため、多数の肉用鶏を飼育する大規模な養鶏場において採用が進んでいる。とくに、自然環境では肉用鶏の飼育に適した環境となる期間が短い寒冷地では、一年を通して肉用鶏の飼育を可能とする無窓鶏舎の採用が進んでいる。
【０００３】
近年では、無窓鶏舎では外部環境と隔離して肉用鶏を飼育できるので、鳥インフルエンザなどの対策として、寒冷地以外でも無窓鶏舎の採用が増えている。
【０００４】
無窓鶏舎では、鶏舎内部を外部から遮断した状態で肉用鶏を飼育するので、鶏舎内部の光環境は照明によってコントロールされる。無窓鶏舎で肉用鶏を飼育する場合、照明を常時点灯した状態で飼育されることが一般的である。照明を常時点灯すれば、肉用鶏の活動期間が長くなり餌を多く食べるようになるので、肉用鶏の成長が速くなり増体しやすくなるからである。
【０００５】
かかる無窓鶏舎による肉用鶏の飼育が進むなか、近年では、鶏の育成状況に応じて、無窓鶏舎における光環境を調整することも行われている。
例えば、特許文献１の技術では、鶏の育成状況に応じて、飼育場所に照射する光の照度を調整することが開示されている。
また、特許文献２の技術では、鶏の育成状況に応じて、飼育場所に照射する光の波長を調整することが開示されている。
【先行技術文献】
【特許文献】
【０００６】
【特許文献１】特開２００９-１７１８６６号公報
【特許文献２】ＷＯ２０１４/１２２９１５
【特許文献３】特開２０１１-２５３８１３号公報
【発明の概要】
【発明が解決しようとする課題】
【０００７】
しかるに、上述した特許文献１、２は、鶏の育成期間（例えば５０日）の中で、週齢に応じて鶏の育成状況に適した光を飼育場所に照射することによって、鶏の成育状況を良好な状態に保つ技術である。しかし、特許文献１、２の技術では、一日のサイクルの中で、飼育場所にどのように光を照射することが好ましいかまでは検討されていない。
【０００８】
一方、特許文献３には、一日の中で飼育場所に光を照射する時間、つまり、一日のサイクルの中で明るい時間を変化させる技術が開示されている。
【０００９】
しかし、特許文献３の技術も、鶏の育成期間の週齢に応じて、一日のうちで鶏に光を照射する時間を調整しているだけに過ぎず、特許文献１、２と同様に、一日のサイクルの中で、鶏にどのように光を照射することが好ましいかまでは検討されていない。
【００１０】
本発明は上記事情に鑑み、肉用鶏の成育を良好にできる家禽飼育方法を提供することを目的とする。
また、本発明は、鶏の飼育に適した光環境を提供できる家禽飼育システムおよび鶏舎における照明管理システムを提供することを目的とする。
【課題を解決するための手段】
【００１１】
（家禽飼育方法）
第１発明の家禽飼育方法は、鶏舎内において家禽を飼育する方法であって、一日の間に、家禽の活動を活発にする光を飼育領域に照射する活動期間から家禽の活動を抑制する光を飼育領域に照射する安息期間に切り替える、および／または、前記安息期間から前記活動期間に切り替える、飼育日を設けることを特徴とする。
第２発明の家禽飼育方法は、第１発明において、前記安息期間に飼育領域に照射する光は、照射する光の波長および／または照度を前記活動期間に照射する光から変更したものであることを特徴とする。
第３発明の家禽飼育方法は、第１または第２発明において、前記安息期間に飼育領域に照射する光の照度は、前記活動期間の照度の８０％以下となるように調整されていることを特徴とする。
第４発明の家禽飼育方法は、第１、第２または第３発明において、飼育領域に照射する光を変化させる際に、照射する光の波長および／または照度を徐々に変化させる遷移期間を設けることを特徴とする。
第５発明の家禽飼育方法は、第１、第２、第３または第４発明において、前記安息期間に、光を照射しないまたは家禽の活動を抑制する光よりも照度を落とした光を照射する休息期間を設けることを特徴とする。
第６発明の家禽飼育方法は、第１、第２、第３、第４または第５発明において、前記活動期間は白色光を照射し、前記安息期間では青色光を照射することを特徴とする。
第７発明の家禽飼育方法は、第１、第２、第３、第４、第５または第６発明において、安息期間と活動期間の比が、３：１〜１：３であることを特徴とする。
第８発明の家禽飼育方法は、第１、第２、第３、第４、第５、第６または第７発明において、活動期間と安息期間を合せた光照射時間を、家禽の成育状況および／または季節に応じて調整することを特徴とする。
（鶏舎における照明管理システム）
第９発明の鶏舎における照明管理システムは、家禽を飼育する領域に照射する光を調整する照明管理システムであって、飼育領域に光を照射する光照射手段と、該光照射手段の作動を制御する制御手段と、を備えており、前記光照射手段が、家禽の活動を活発にする光と家禽の活動を抑制する光と、を照射し得るものであり、前記制御手段は、一日の間に、両光を切り換えて飼育領域に照射するように前記光照射手段の作動を制御する機能を有していることを特徴とする。
第１０発明の鶏舎における照明管理システムは、第９発明において、前記制御手段は、家禽の活動を抑制する光として、家禽の活動を活発にする光に対して照射する光の波長および／または照度を変更した光を照射するように光照射手段の作動を制御する機能を有していることを特徴とする。
第１１発明の鶏舎における照明管理システムは、第９または第１０発明において、前記制御手段は、家禽の活動を抑制する光の照度が、家禽の活動を活発にする光の照度の８０％以下となるように光照射手段光照射手段の作動を制御する機能を有していることを特徴とする。
第１２発明の鶏舎における照明管理システムは、第９、第１０または第１１発明において、前記制御手段は、飼育領域に照射する光を変化させる際に、飼育領域に照射する光の波長および／または照度が徐々に変化するように、光照射手段の作動を制御する機能を有していることを特徴とする。
第１３発明の鶏舎における照明管理システムは、第９、第１０、第１１または第１２発明において、前記制御手段は、家禽の活動を抑制する光を照射している期間に、光を照射しないまたは家禽の活動を抑制する光よりも照度を落とした光を照射する期間が形成されるように、光照射手段の作動を制御する機能を有していることを特徴とする。
第１４発明の鶏舎における照明管理システムは、第９、第１０、第１１、第１２または第１３発明において、前記光照射手段が、飼育領域に照射される光が白色光となるように光を放出する機能と、飼育領域に照射される光が青色光となるように光を放出する機能と、を有していることを特徴とする。
第１５発明の鶏舎における照明管理システムは、第９、第１０、第１１、第１２、第１３または第１４発明において、前記光照射手段は、家禽の活動を活発にする光を照射する時間と家禽の活動を抑制する光を照射する時間の比が、３：１〜１：３となるように制御されていることを特徴とする。
第１６発明の鶏舎における照明管理システムは、第９、第１０、第１１、第１２、第１３、第１４または第１５発明において、前記制御手段は、家禽の活動を活発にする光を照射する期間と家禽の活動を抑制する光を照射する期間を合せた光照射時間を、家禽の成育状況および／または季節に応じて調整する機能を有していることを特徴とする。
（家禽飼育システム）
第１７発明の家禽飼育システムは、家禽を飼育する家禽飼育システムであって、家禽を飼育する飼育領域が設けられた鶏舎と、該鶏舎の飼育領域に照射する光を制御する、第９、第１０、第１１、第１２、第１３、第１４、第１５または第１６発明の照明管理システムと、を備えていることを特徴とする。
【発明の効果】
【００１２】
（家禽飼育方法）
第１発明によれば、一日の間に活動期間と安息期間を切り替える飼育日を設けているので、常時家禽の活動を活発にする光が照射される場合に比べて、家禽の成長を促進させることができる。
第２、第３発明によれば、家禽のストレスを低減でき、家禽を健全に成長させることができる。
第４、第５発明によれば、光に起因する家禽のストレスを抑えることができる。
第６、第７発明によれば、家禽のストレスを低減でき、家禽を健全に成長させることができる。
第８発明によれば、家禽の成育状況に応じた光の環境とするので、家禽の成長を促すとともに健全に成長させることができる。
（鶏舎における照明管理システム）
第９発明によれば、光照射手段が家禽の活動を活発にする光と家禽の活動を抑制する光を飼育領域に照射できる。したがって、制御手段によって光照射手段を制御して、一日の間に両光を切り換えて飼育領域に照射する飼育日を設ければ、家禽の成長を促進させることができる。
第１０、第１１発明によれば、家禽のストレスを低減でき、家禽を健全に成長させることができる。
第１２、第１３発明によれば、光に起因する家禽のストレスを抑えることができる。
第１４発明によれば、飼育領域に照射される光を白色光と青色光で切り換えれば、家禽のストレスを低減でき、家禽を健全に成長させることができる。
第１５発明によれば、家禽のストレスを低減でき、家禽を健全に成長させることができる。
第１６発明によれば、家禽の成育状況に応じた光環境とするので、家禽の成長を促すとともに健全に成長させることができる。
（家禽飼育システム）
第１７発明によれば、照明管理システムによって、鶏舎の飼育領域に、光照射手段から家禽の活動を活発にする光と家禽の活動を抑制する光を照射できる。したがって、一日の間に両光を切り換えて飼育領域に照射する飼育日を設ければ、家禽の成長を促進させることができる。
【図面の簡単な説明】
【００１３】
【図１】本実施形態の家禽飼育方法を使用する鶏舎１の概略説明図であり、（Ａ）は鶏舎１の概略断面図であり、（Ｂ）は（Ａ）の要部拡大概略断面図である。
【図２】本発明の家禽飼育方法が家禽の成育に与える影響を確認した実験の結果を示した図である。
【図３】本発明の家禽飼育方法が家禽の活動に与える影響を確認した実験の結果を示した図である。
【図４】本発明の家禽飼育方法を実際の鶏舎で実施した際における光照射条件の説明図である。
【発明を実施するための形態】
【００１４】
つぎに、本発明の実施形態を図面に基づき説明する。
本発明の家禽飼育方法は、鶏舎内で食肉用の家禽（肉用鶏）を飼育する方法であって、家禽を飼育するための領域（以下、単に飼育領域という）に照射する光の状態を調整することによって、家禽の成長を促進させることができるようにしたことに特徴を有している。
【００１５】
なお、以下では、肉用鶏（例えば、ブロイラー）を鶏舎内で飼育する場合を代表として説明する。
【００１６】
（家禽の育成期間について）
まず、肉用鶏を鶏舎内で飼育する場合における、一般的な育成期間について説明する。
【００１７】
肉用鶏を鶏舎内で成育する場合、一般的には、７週齢（約４９日）前後のサイクルで飼育がおこなわれる。つまり、孵化後０〜１日程度の鶏を鶏舎内に入雛し、その後、約７週間飼育して、鶏は出荷される。
【００１８】
この約７週間の育成期間は、育成初期と育成後期に分けることができる。育成初期は、鶏を鶏舎内に入雛したときから初期発育が達成されるまでの時期を意味している。また、育成後期は、初期発育を終えた鶏を成育して出荷するまでの期間を意味している。
【００１９】
例えば、ブロイラーであれば、通常、入雛から約３週齢（約２１日）までの期間が育成初期に相当し、その後、約７週齢（約４９日）までの期間が育成後期に相当する。
【００２０】
なお、上述した育成期間や、育成初期および育成後期の期間は、鶏の成長状態や環境要因などによって７日程度、前後に変化するのが一般的である。
【００２１】
（家禽飼育システム）
つぎに、本発明の家禽飼育方法に使用される家禽飼育システムの一例を説明する。
図１に示すように、本発明の家禽飼育方法に使用される家禽飼育システム（以下、単に家禽飼育システムという）は、鶏舎１と、照明管理システム１０と、を備えている。
【００２２】
図１に示すように、鶏舎１は、鶏Ｆを飼育する飼育領域ＢＡが設けられたものである。この鶏舎１は、例えば、無窓鶏舎等のように飼育領域ＢＡを外部から隔離した状態で、鶏Ｆを飼育できる構造を有する鶏舎である。本明細書において、鶏Ｆを外部から隔離した状態とは、外部の光が飼育領域ＢＡ内にほとんど入射しない状態を意味している。ただし、飼育領域ＢＡ内の空気を換気するための設備や作業者が出入りする出入口等のように、必要最小限度で飼育領域ＢＡ内と外部と連通する部分は、当然のように鶏舎１に設けられている。
【００２３】
なお、本明細書において、「外部の光が飼育領域ＢＡ内にほとんど入射しない状態」とは、完全に外部光が飼育領域ＢＡ内に入射しない状態、換気や人が出入りするときを除き外部光が飼育領域ＢＡ内に入射しない状態、また、本発明の家禽飼育方法に影響を与えない範囲で外部光の入光がある状態、の全て含む概念である。
【００２４】
かかる鶏舎１では、上述したように、外部の光が飼育領域ＢＡ内にほとんど入射しない状態となっているので、飼育領域ＢＡに光を照射する光照射手段１１を備えた照明管理システム１０が設けられている。
【００２５】
この照明管理システム１０の光照射手段１１は、飼育領域ＢＡに、鶏Ｆの活動を活発にする光と、鶏Ｆの活動を抑制する光と、を照射し得る機能を有している。具体的には、光照射手段１１は、飼育領域ＢＡに照射される光が白色光となるように光を放出する機能と、飼育領域ＢＡに照射される光が青色光となるように光を放出する機能と、を有している。また、光照射手段１１は、この白色光および青色光の照度を調整できる機能も有している。
【００２６】
そして、照明管理システム１０は、上述したような機能を有する光照射手段１１の作動を制御する制御手段１５を備えている。この制御手段１５は、光照射手段１１から飼育領域ＢＡに照射される光の波長、照射する光の照度、光を照射する時間を制御する機能を有している。
【００２７】
例えば、飼育領域ＢＡに照射される光が白色光となるように光照射手段１１の作動を制御したり、飼育領域ＢＡに照射される光が青色光となるように光照射手段１１の作動を制御したりする機能を有している。また、光照射手段１１によって飼育領域ＢＡに照射される白色光や青色光の照度を制御する機能を有している。さらに、光照射手段１１による飼育領域ＢＡへの光の照射非照射を制御する機能も有している。
【００２８】
以上のような照明管理システム１０を鶏舎１に設けた家禽飼育システムであれば、照明管理システム１０によって鶏舎１の飼育領域ＢＡに、光照射手段１１から鶏Ｆの活動を活発にする光と、鶏Ｆの活動を抑制する光を適宜照射できる。したがって、後述するように、一日の間に両光を切り換えて飼育領域ＢＡに照射する飼育日を設ければ、鶏Ｆの成長を促進させることができる。
【００２９】
なお、制御手段１５による光照射手段１１の作動制御は、予めプログラミングされた手順に従って、光照射手段１１の作動を制御してもよいし、作業者が制御手段１５を介して光照射手段１１の作動を制御してもよい。家禽飼育システムの作動を自動化したり作業者の負担を軽減したりする上では、制御手段１５が予めプログラミングされた手順に従って光照射手段１１の作動を制御する方法を採用することが望ましい。
【００３０】
（家禽飼育方法）
以上のような照明管理システム１０を有する鶏舎１において、本実施形態の家禽飼育方法を実施する場合を説明する。
【００３１】
本実施形態の家禽飼育方法を実施する場合、照明管理システム１０の制御手段１５は、一日の間に、鶏Ｆの活動を活発にする光を飼育領域ＢＡに照射する期間（活動期間）と、鶏Ｆの活動を抑制する光を飼育領域ＢＡに照射する期間（安息期間）を切り替えるように、光照射手段１１の作動を制御する。
【００３２】
例えば、鶏Ｆの活動を活発にする光として白色光を照射し、鶏Ｆの活動を抑制する光として白色光よりも照度を落とした青色光を照射する場合を考える。この場合、活動期間では鶏Ｆは活発に活動し、安息期間では鶏Ｆは休息できる状況になるので、鶏Ｆの成育を健全な状態に近づけることができる。
【００３３】
この場合、活動期間と安息期間が、一日の間で交互に切り替えるようになっていることが望ましい。例えば、一日を２４時間とした場合、つまり、０時から２４時間を一日とした場合に、０時から６時までの６時間は青色光を照射する。６時になると、青色光の照射から白色光の照射に切り替える。６時から１８時までの１２時間は白色光を照射する。１８時になると、白色光の照射から青色光の照射に切り替える。１８時から２４時までの６時間は青色光を照射する。
【００３４】
以上のような２４時間のサイクルを繰り返すように、制御手段１５が光照射手段１１を制御すれば、活動期間と安息期間が１２時間ごとに交互に設けられることになる。すると、従来のように、常時、白色光が照射された状態で鶏Ｆを飼育する場合に比べて、鶏Ｆが受けるストレスを軽減できる。また、安息期間には鶏Ｆが休息することができるので、鶏Ｆの成長を促進させることができる。しかも、鶏Ｆを、光やその他の外的要因から受けるストレスが小さい状況で成育させることができるので、鶏Ｆを健全な状態で育成することができ、鶏Ｆの肉質の向上も期待できる。
【００３５】
なお、本明細書では、「一日」とは、鶏が活発に活動する活動期間と休息する安息期間の両方を合わせた期間を意味している。したがって、上述した例のように、活動期間と安息期間がそれぞれ１２時間の場合には、通常使用される「一日」と同様に、２４時間が本明細書における「一日」に該当する。また、活動期間と安息期間の両期間の時間によっては、両期間を合わせた時間が２０〜２４時間になったり、２４〜２７時間になったりする場合もあるが、その場合には、２０〜２４時間や２４〜２７時間が本明細書における「一日」に該当することになる。
【００３６】
また、本明細書における「一日」は、育成期間（約７週齢）において、常時一定である必要はなく、育成状況に応じて変化させてもよい。例えば、育成初期における「一日」を育成後期における「一日」よりも長くしてもよい。この場合には、初期の成長を抑制させることで鶏をより健康に飼育できるという効果が得られる。また、育成初期における「一日」を育成後期における「一日」よりも短くしてもよい。この場合には、育成初期から後期までの増体を促し、育成期間を短縮させるという効果が得られる。
【００３７】
また、安息期間は、育成初期や育成後期の全ての日に設ける必要はない。一部の飼育日には安息期間を設けないようにしてもよいし、一部の飼育日だけに安息期間を設けるようにしてもよい。例えば、安息期間を設ける飼育日と安息期間を設けない飼育日を交互に設けてもよいし、数日間連続して安息期間を設ける飼育日を設定したのち、数日間連続して安息期間を設けない飼育日を設定してもよい。もちろん、安息期間を設ける飼育日と安息期間を設けない飼育日の日数は、育成初期において同日数設けてよいしいずれかの日が多くなっていてもよい。同様に、安息期間を設ける飼育日と安息期間を設けない飼育日の日数は、育成後期において同日数設けてよいしいずれかの日が多くなっていてもよい。
【００３８】
（安息期間と活動期間の割合）
上記例では、安息期間と活動期間が同じ長さである場合を説明した。しかし、両期間の割合は、鶏の成育状況や飼育環境（季節や周囲の気温等）に応じて、適宜変更してもよい。例えば、安息期間と活動期間の比は、３：１〜１：３となるように調整することが可能である。
また、安息期間や活動期間の長さも、鶏の育成期間において一定でなくてもよい。鶏の成育状況や飼育環境（季節や周囲の気温等）に応じて、適宜変更してもよい。例えば、育成初期における「安息期間」を育成後期における「安息期間」よりも長くしてもよい。この場合には、初期成育を抑制させることで鶏をより健康に飼育できる効果が得られる。また、育成初期における「安息期間」を育成後期における「安息期間」よりも短くしてもよい。この場合には、育成初期から後期までの増体を促す効果が得られる。
【００３９】
（休息期間）
なお、上記例では、安息期間の間、青色光が常時照射されている場合を説明した。しかし、安息期間において、光を照射しない休息期間（以下では暗期という場合がある）を設けてもよい。つまり、休息期間では、光照射手段１１を消灯して完全に光を飼育領域ＢＡに照射しないようにする。この場合、鶏Ｆが受けるストレスをより一層低減できるので、鶏Ｆの健全な成育を実現させやすくなる。
【００４０】
なお、休息期間では、完全に消灯せずに、安息期間の他の期間よりも照度を落とした光を照射するようにしてもよい。この場合には、照度は、安息期間に照射される光の２０％以下、好ましくは１０％以下となるようにすることが望ましい。例えば、安息期間の照度が１５ｌｕｘ程度の場合には、休息期間では３ｌｕｘ以下や１ｌｕｘとなるように照度を調整すればよい。
【００４１】
（遷移期間）
また、活動期間から安息期間に切り替える際、および、安息期間から活動期間に切り替える際には、飼育領域に照射する光の波長および／または照度を徐々に変化させる遷移期間を設けるようにすることが望ましい。飼育領域に照射する光の波長および／または照度が急激に変化すると、鶏Ｆはストレスを感じて緊張状態になる場合があるが、飼育領域に照射する光の波長および／または照度を徐々に変化させれば、かかるストレスを受けることを防ぐことができる。
【００４２】
例えば、約２〜１０分間程度で、活動期間の光の照度から安息期間の光の照度に変化させれば、鶏Ｆが照度の変化によるストレスを受けにくい。この場合、活動期間から安息期間に切り替える場合には、活動期間の終了約２〜１０分前から照度を低下させて、安息期間の照度となるようにすることができる。また、安息期間から活動期間に切り替える場合には、安息期間の終了約２〜１０分前から照度を上昇させて、活動期間の照度となるようにすることができる。もちろん活動期間（または安息期間）から安息期間（または活動期間）に入った後に、本来の光の照度になるように調整してもよい。
【００４３】
同様に、約２〜１０分間程度で、活動期間の光の波長から安息期間の光の波長に変化させれば、鶏Ｆが光の波長の変化によるストレスを受けにくい。この場合、活動期間から安息期間に切り替える場合には、活動期間の終了約２〜１０分前から光の波長を変化させて、安息期間の光の波長となるようにすることができる。また、安息期間から活動期間に切り替える場合には、安息期間の終了約２〜１０分前から光の波長を変化させて、活動期間の光の波長となるようにすることができる。もちろん活動期間（または安息期間）から安息期間（または活動期間）に入った後に、本来の光の波長になるように調整してもよい。
【００４４】
とくに、活動期間と安息期間において、飼育領域ＢＡに照射される光の波長と照度の両方が異なる場合には、両期間を切り替える際に、光の波長と照度の両方が大きく変化するので、鶏Ｆはストレスを感じやすくなる。したがって、活動期間と安息期間において飼育領域ＢＡに照射される光の波長および照度の両方が異なる場合には、徐々に照度を変化させるとともに徐々に光の波長を変化させることは、鶏Ｆのストレス低減に非常に有効である。もちろん、活動期間（または安息期間）の光から安息期間（または活動期間）の光に変化させる際に、光の波長と光の照度のうち、いずれかを先に変化させてから他方を変化させるようにしてもよい。
【００４５】
なお、安息期間の間に休息期間を設ける場合には、安息期間から休息期間に切り替える際、および、休息期間から安息期間または活動期間に切り替える際にも、飼育領域に照射する光の波長および／または照度を徐々に変化させる遷移期間を設けるようにすることが望ましい。
【００４６】
とくに、安息期間から活動期間に切り替える直前に休息期間を設ける場合には、光の波長や照度の変化が非常に大きくなるので、かかる遷移期間を設けることがとくに望ましい。例えば、上述した時期に休息期間を設ける場合には、休息期間の終了約２〜１０分前から光の波長や照度を変化させて、活動期間の光の波長や照度になるようにしてもよいし、活動期間に入ってから約２〜１０分間かけて光の波長や照度を変化させるようにしてもよい。
もちろん、安息期間の中間に休息期間を設ける場合にも、かかる遷移期間を設けることが望ましい。例えば、休息期間（または安息期間）の終了約２〜１０分前から安息期間（または休息期間）の光の波長や照度になるようにしてもよい。また、休息期間の開始時までは安息期間の光の波長や照度を維持し、休息期間になってから光の波長や照度を変化させてもよいし、休息期間の終了後から光の波長や照度を変化させるようにしてもよい。
【００４７】
（安息期間）
上記例では、安息期間に照射される光として、活動期間に照射される光から照度を落とした青色光を一例として示した。しかし、安息期間に照射される光は、青色光に限られず、活動期間よりも鶏Ｆの活動を抑制する効果が得られる光であればよい。例えば、安息期間に照射される光は、水色光のような光であってもよい。
【００４８】
また、安息期間に照射される光は、鶏Ｆの成育状況などに応じて変化させてもよい。例えば、育成初期の安息期間には青色光を照射して、育成後期の安息期間には水色光を照射するようにしてもよい。この場合には、育成後期の増体性を高める効果が得られる。
【００４９】
そして、安息期間に照射する光の照度も活動期間に照射される光の照度と同等以下でなくてもよく、照射する光の波長や、鶏Ｆの成育状況によって変化させてもよい。
例えば、育成初期の安息期間には青色光を飼育領域ＢＡに照射し、活動期間には白色光を飼育領域ＢＡに照射する場合であれば、安息期間の照度は、活動期間の照度と同等程度であっても、鶏Ｆの活動を抑制する効果を得ることができる。
また、育成後期の安息期間には水色光を飼育領域ＢＡに照射し、活動期間には白色光を飼育領域ＢＡに照射する場合であれば、安息期間の照度は、活動期間の照度と同等またはそれ以上の照度であってもよい。この場合でも、育成後期の増体性を高める効果が得られる。
【００５０】
さらに、安息期間に飼育領域ＢＡに照射する光は、必ずしも活動期間に飼育領域ＢＡに照射する光と異なる波長のものでなくてもよい。例えば、安息期間には、活動期間に照射される光と同じ波長の光を、活動期間よりも照度を落として照射するようにしてもよい。この場合でも、安息期間では、活動期間に比べて鶏Ｆが受けるストレス等を低減できるので、鶏Ｆの成長を促進させることができる。
【００５１】
なお、本明細書において、青色光とは、飼育領域ＢＡに照射された光を視認したときに青色に見える光であればよいが、その波長が３８０ｎｍ〜４９０ｎｍにピーク波長を有するものが好ましい。また、青色光は、上記範囲にピーク波長を含み視認したときに青色に見えるようになっていれば、他の波長の光を含んでいてもよい。例えば、かかる波長の光以外にも、赤色に見える波長の光や緑色に見える波長の光等を含んでいてもよい。
また、本明細書において、白色光とは、飼育領域ＢＡに照射された光を視認したときに白色に見える光であればよい。
さらに、本明細書において、水色光とは、飼育領域ＢＡに照射された光を視認したときに水色に見える光であればよい。例えば、波長が３８０ｎｍ〜４９０ｎｍと４９０ｎｍ〜５９０ｎｍの間にそれぞれピーク波長を有する光を所定の割合で含んでいれば、視認したときに水色に見える光となる。もちろん、水色光も、上述した青色光と同様に、視認したときに水色に見えるようになっていれば、上記範囲にピーク波長を含む光以外の光を含んでいてもよい。例えば、上記範囲にピーク波長を有する波長の光以外に、赤色に見える波長の光等を含んでいてもよい。
【００５２】
（安息期間の照度）
上述したように、安息期間では、活動期間に飼育領域ＢＡに照射される光よりも照度を落としているが、その照度はとくに限定されない。例えば、活動期間に飼育領域ＢＡに照射される光の照度の８０％以下、好ましくは７０％以下、さらに好ましくは５０％以下とすることが望ましい。
なお、本明細書における照度とは、例えば、光照射手段１１の発光体の直下約１．５ｍの高さにおける鶏の飼育領域の照度や、飼育領域ＢＡで飼育をしている鶏Ｆの頭（目線）の位置における照度を意味している。前者の場合、光照射手段１１の高さによって飼育されている鶏Ｆが受ける光の状態が異なってくる。しかし、光照射手段１１は、通常、飼育領域の床面から１〜２ｍ程度高さ（図１のＨ）に設置される。すると、前者の照度を測定する高さと、後者の照度を測定する高さにそれほど大きな差は生じない（せいぜい数十ｃｍ程度である）。
【００５３】
（光照射手段１１について）
光照射手段１１は、赤、緑、青（ＲＧＢ）の三色の光をそれぞれ放出できる発光体を有する光源を使用することが望ましい。かかる発光体を有していれば、発光体の作動を制御することによって、飼育領域ＢＡに照射される光を種々の色に調整できる。例えば、全ての発光体から光を照射してその強度を調整すれば、飼育領域ＢＡに照射される光を白色光にできる。また、青色の発光体からのみ光を照射すれば、飼育領域ＢＡに照射される光を青色光にできる。さらに、緑と青の発光体から光を照射してその強度を調整すれば、飼育領域ＢＡに照射される光を水色光にすることも可能である。
【００５４】
かかる光照射手段１１の光源には、例えば、ＲＧＢの三色の発光体を有するＬＥＤ光源等を使用できる。とくに、ＬＥＤ光源を使用すれば、各発光体から放射される光の光量を調整し易いので、飼育領域ＢＡの明るさを所望の明るさに容易に調整することができる。また、使用電力も従来の白熱電球等に比べて少なくなるので、経済的観点からも、光照射手段１１の光源にはＬＥＤ光源を採用するのが好ましい。
【００５５】
また、飼育領域ＢＡに対して、安息期間には青色光を照射し、活動期間には白色光を照射する場合には、光照射手段１１の光源として、飼育領域ＢＡに照射される光が青色光となるように光を放出する光源と、飼育領域ＢＡに照射される光が白色光となるように光を放出する光源と、をそれぞれ備えていてもよい。この場合、飼育領域ＢＡに照射される光が青色光となるように光を放出する光源としては、発光体として青色のＬＥＤや、グローブ部が青色である蛍光灯等を採用できる。また、飼育領域ＢＡに照射される光が白色光となるように光を放出する光源としては、白色蛍光灯や、赤、緑、青の発光体を有するＬＥＤ光源、白色ＬＥＤチップを有するＬＥＤ光源、白熱球等を採用できる。
【実施例１】
【００５６】
本発明の家禽飼育方法の有効性を確認するために、安息期間を設けることが鶏の成育に与える影響を確認した。
【００５７】
実験では、１日齢のブロイラー雄ヒナ（ＲＯＳＳ３０８）６４羽を体重が等しくなるよう２群（対照群、試験群）に分けて、それぞれ４９日齢まで飼育した。
０〜２１日齢の期間は２３時〜２４時、２２〜４９日齢の期間は２３時〜３時に暗期を設定し、対照群は、１〜４９日齢まで、暗期を除き終日白色光を照射した環境で飼育した。
一方、試験群は、対照群と同様の暗期を設け、２１日齢までは、６時〜１８時までは白色光下で飼育し（活動期間）、その後の暗期を除く時間帯は青色光で飼育した（安息期間）。そして、２２日齢から４９日齢までは、６時〜１８時までは白色光下（活動期間）、その後の暗期を除く時間帯は水色光下（安息期間）で飼育した。
その後、対照群、試験群で飼育された鶏について、体重、ムネ肉重量、及びモモ肉重量を比較した。
【００５８】
実験では、無窓試験鶏舎（８ｍ×６ｍ×２．７ｍ）を使用した。この鶏舎内に、対照群を飼育する領域と、試験群を飼育する領域を設けた。
【００５９】
なお、対照群、試験群ともに、白色光を照射する光源には白色蛍光灯を使用した。
また、試験群では、青色光および水色光を切り換えることができるＬＥＤ光源を自作して使用した。つまり、ＲＧＢの発光体を有する電球型のＬＥＤ光源を自作し使用した。ＲＧＢの発光体は、発光体の作動を制御する機能を有する基板に設けて、その作動を制御した。具体的には、ＬＥＤ素子が発光する光を所望の光の波長となるように調整する機能（色調機能）と所望の明るさ（照度）となるように調整する機能（調光機能）を有する基板を作成した。この基板に、複数の発光体（ＬＥＤ素子（日亜化学工業株式会社製、型番：ＮＣＳＲ１１９（赤色光）、ＮＣＳＧ１１９（緑色光）、ＮＣＳＢ１１９（青色光）））を略三角形状に配置したものを１セットとし、このセット５つを同一円周上に所定の間隔を空けて配置したものを光源として使用した。本実験では、このＬＥＤ光源において、赤色（Ｒ）緑色（Ｇ）、青色（Ｂ）の各発光体の出力を調整して、照射される光の波長を所望の色（色調）に調整した。
【００６０】
具体的には、飼育領域に青色光を照射する場合には、青色発光体の出力を７０％、赤色および緑色の発光体の出力をそれぞれ０％とした。また、飼育領域に水色光を照射する場合には、青色発光体の出力を３５％、緑色発光体の出力を３５％、赤色発光体の出力を０％とした。
【００６１】
結果を図２に示す。
図２に示すように、飼育された鶏の体重、ムネ肉重量、及びモモ肉重量は、対照群に比べて試験群において増加した。このことから、安息期間（青色光または水色光の照射期間）を設けることによって、鶏の成長が促進することが示唆された。
【実施例２】
【００６２】
つぎに、安息期間を設けることが鶏の活動に与える影響を確認した。
実験では、１日齢のブロイラー雄ヒナ（ＲＯＳＳ３０８）４８羽を体重が等しくなるよう２群（対照群、試験群）に分けて飼育し、鶏の活動を比較した。１３日齢から１４日齢の間の２４時間に渡り、鶏の行動を録画し、２時間おきに５分間当たりに移動した鶏の羽数を測定し、移動回数の平均値を群間で比較した。
【００６３】
なお、照明プログラムは実施例１と同様とし、鶏舎や光源は、実施例１と同じものを使用した。
【００６４】
結果を図３に示す。
図３に示すように、試験群では、対照群に比べて、白色光から青色光に切り替える時間を中心に移動回数が減少した。このことから、安息期間を設けて、安息期間に青色光を照射することによって、鶏の行動が鎮静化することが示唆された。
【実施例３】
【００６５】
実施例１、２により、安息期間を設けることで鶏を休息させることができ、その影響で、鶏の成長が促進できる可能性があることが示された。
そこで、実際に肉用鶏の飼育に使用されている鶏舎において、安息期間を設けた場合に、鶏の生産にどのような影響が生じるかを確認した。
【００６６】
実験では、種鶏のロットが同一ロットであるブロイラー（ＲＯＳＳ３０８：雌雄混合）を、対照群、試験群、ともに８，０００羽を、鶏舎（幅１０．５ｍ×長さ６６ｍ×高さ２．８ｍ、長さ方向の前後に空間を設けて飼育スペースを２００坪にしたもの）で４９日間飼育して、出荷時の平均体重を比較した。
出荷時の平均体重は、出荷される鶏が載せられているトラックを１台ずつ計量しトラック重量、カゴ風袋を引いて、各トラックにおける出荷される鶏の総重量を求めた。そして、その総重量を各トラックに乗せている羽数で除して、各トラックにおける鶏の平均体重を算出した。その上で、各トラックにおける鶏の平均体重から、対照群、試験群の出荷される鶏の平均体重を求めた。
【００６７】
鶏舎内の光源は、対照群では、白色蛍光灯を使用した。
一方、試験群では、白色光、青色光および水色光を切り替えることができるＬＥＤ光源を自作し使用した。なお、このＬＥＤ光源から白色光を照射する場合には、青色発光体の出力を２５％、緑色発光体の出力を４５％、赤色発光体の出力を５５％とした。なお、青色光と水色光については実施例１と同じ出力とした。
【００６８】
なお、試験群、対照群ともに、白色光の照度は、光源の直下１．５ｍの位置で、照度計（コニカミノルタセンシング社製  型番：Ｔ−１０）で測定した値が、４５ｌｕｘとなるように調整した。また、試験群において、青色光および水色光の照度は、いずれも光源の直下１．５ｍの位置で、同じ照度計で測定した値が、それぞれ１４ｌｕｘおよび３３ｌｕｘとなるように調整した。
【００６９】
対照群、試験群における光の照射パターンは、図４に示すように制御した。
つまり、０〜２１日齢の期間は２３時〜２４時、２２〜４９日齢の期間は２３時〜３時に暗期を設定し、対照群（図４（Ｂ））では、暗期を除き終日白色光を照射した環境で飼育した。
一方、試験群（図４（Ａ））では、対照群と同様の暗期を設け、２１日齢までは、６時〜１８時までは白色光下で飼育し（活動期間）、その後の暗期を除く時間帯は青色光で飼育した（安息期間）。そして、２２日齢から４９日齢までは、６時〜１８時までは白色光下（活動期間）、その後の暗期を除く時間帯は水色光下（安息期間）で飼育した。
【００７０】
また、試験群では、活動期間から安息期間に移行する期間、および、安息期間から活動期間に移行する期間では、鶏に与えるストレスを軽減するために、約２〜１０分かけて段階的に波長および照度を変化させた。
【００７１】
実験の結果、試験群では、対照群に比べて、出荷される鶏の平均体重を５％程度増加させることができた。
【産業上の利用可能性】
【００７２】
本発明の家禽飼育方法は、肉用鶏を鶏舎内で飼育する方法として適している。
【符号の説明】
【００７３】
１    鶏舎
１０    照明管理システム
１１    光照射手段
１５    制御手段
ＢＡ    飼育領域
Ｆ    鶏
【図１】
0006649763.tif 000002
【図２】
0006649763.tif 000003
【図３】
0006649763.tif 000004
【図４】
0006649763.tif 000005